(57)【要約】【課題】フルオープンエンド缶の蓋部に対してラベルを容易に着脱する。【解決手段】缶は、筒状を成す胴部と；全周にわたってスコアを有する蓋部と；胴部と蓋部とを締結する締結部と；蓋部におけるスコアの内側にリベットを介して連結され、リベットより蓋部の中央側にリング状の指掛け部を有するタブと；蓋部とタブとの間に挟み込まれたシート状のラベルとを備える。ラベルは、蓋部とタブとの間に挟み込まれた状態で、蓋部におけるリベットが位置する領域を締結部との間に画定する切欠き部と；蓋部とタブとの間に挟み込まれた状態で、蓋部と指掛け部との間に位置する挟込み部と；蓋部とタブとの間に挟み込まれた状態で、締結部の内側に嵌る形状を成す外縁部とを有する。【選択図】図３
2019006441.tif 000002
【特許請求の範囲】
【請求項１】
筒状を成す胴部と、
全周にわたってスコアを有する蓋部と、
前記スコアを取り囲み、前記胴部と前記蓋部とを締結する締結部と、
前記蓋部における前記スコアの内側にリベットを介して連結され、前記リベットより前記蓋部の中央側にリング状の指掛け部を有するタブと
を備える缶であって、
更に、前記蓋部と前記タブとの間に挟み込まれたシート状のラベルを備え、
前記ラベルは、
前記蓋部における前記リベットが位置する領域を前記締結部との間に画定する切欠き部と、
前記蓋部と前記指掛け部との間に位置する挟込み部と、
前記締結部の内側に嵌る形状を成す外縁部と
を有する、缶。
【請求項２】
前記外縁部は、前記締結部の全周のうち２分の１以上にわたって前記締結部の内側に嵌る形状を成す、請求項１に記載の缶。
【請求項３】
前記切欠き部は、前記リベットに向けて凹状を成す、請求項１または請求項２に記載の缶。
【請求項４】
前記切欠き部は、前記リベットを間に挟む形状を成す、請求項１から請求項３までのいずれか一項に記載の缶。
【請求項５】
筒状を成す胴部と、
全周にわたってスコアを有する蓋部と、
前記スコアを取り囲み、前記胴部と前記蓋部とを締結する締結部と、
前記蓋部における前記スコアの内側にリベットを介して連結され、前記リベットより前記蓋部の中央側にリング状の指掛け部を有するタブと
を備える缶に対して、装着可能に構成されたシート状の缶用ラベルであって、
前記蓋部と前記タブとの間に挟み込まれた状態で、前記蓋部における前記リベットが位置する領域を前記締結部との間に画定する切欠き部と、
前記蓋部と前記タブとの間に挟み込まれた状態で、前記蓋部と前記指掛け部との間に位置する挟込み部と、
前記蓋部と前記タブとの間に挟み込まれた状態で、前記締結部の内側に嵌る形状を成す外縁部と
を有する缶用ラベル。
【発明の詳細な説明】
【技術分野】
【０００１】
本明細書は、缶および缶用ラベルを開示する。
【背景技術】
【０００２】
金属性の容器である缶は、人間用の食品やペット用の飼料を詰めるために用いられる。缶の種類としては、開口用の道具を使用せずに容易に開口可能に構成されたイージーオープン蓋を備えるイージーオープンエンド缶が広く知られている。イージーオープンエンド缶としては、蓋の全周にスコア（切込み）加工が施されたフルオープニング蓋を備えるフルオープンエンド缶も知られている。フルオープニング蓋におけるスコアの内側には、リング状の指掛け部を有するタブがリベットを介して連結されている。フルオープンエンド缶を開封する際には、利用者がタブを引き起こしてから引っ張ることによって、蓋がスコアの内側で切り離され開口状態になる（例えば、特許文献１を参照）。
【０００３】
また、商品名、内容物、製造者、成分などに関連する情報を缶に表示する方法としては、缶の表面に印刷する方法、缶の表面に印刷フィルムをラミネートする方法、缶の表面に印刷ラベルを糊付けする方法などが一般的に知られている（例えば、特許文献２を参照）。
【先行技術文献】
【特許文献】
【０００４】
【特許文献１】特開２００１−２７０５２３号公報
【特許文献２】特開２００３−８１２７６号公報
【発明の概要】
【発明が解決しようとする課題】
【０００５】
フルオープンエンド缶において、スコアやタブが設けられた蓋部にラベルを装着することについて、十分な検討がなされていなかった。
【課題を解決するための手段】
【０００６】
（１）本明細書に開示する一形態における缶は、筒状を成す胴部と；全周にわたってスコアを有する蓋部と；前記スコアを取り囲み、前記胴部と前記蓋部とを締結する締結部と；前記蓋部における前記スコアの内側にリベットを介して連結され、前記リベットより前記蓋部の中央側にリング状の指掛け部を有するタブとを備える。この缶は、更に、前記蓋部と前記タブとの間に挟み込まれたシート状のラベルを備える。前記ラベルは、前記蓋部における前記リベットが位置する領域を前記締結部との間に画定する切欠き部と；前記蓋部と前記指掛け部との間に位置する挟込み部と；前記締結部の内側に嵌る形状を成す外縁部とを有する。この形態の缶によれば、蓋部とタブとの間に挟み込むことによってラベルを保持できるため、蓋部に対してラベルを容易に着脱することができる。また、缶に装着された状態にあるラベルは、切欠き部においてリベットを避けつつ、挟込み部において蓋部とタブとの間に挟み込まれながら、外縁部において位置決めされるため、ラベルの位置ズレおよび不用意な脱落を抑制できる。
【０００７】
（２）上述の缶において、前記外縁部は、前記締結部の全周のうち２分の１以上にわたって前記締結部の内側に嵌る形状を成してもよい。この形態の缶によれば、外縁部の大きさを十分に確保できるため、外縁部による位置決め機能を向上させることができる。その結果、ラベルの位置ズレおよび不用意な脱落をいっそう抑制できる。
【０００８】
（３）上述の缶において、前記切欠き部は、前記リベットに向けて凹状を成してもよい。この形態の缶によれば、外縁部の大きさを十分に確保できるため、外縁部による位置決め機能を向上させることができる。その結果、ラベルの位置ズレおよび不用意な脱落をいっそう抑制できる。
【０００９】
（４）上述の缶において、前記切欠き部は、前記リベットを間に挟む形状を成してもよい。この形態の缶によれば、外縁部の大きさを十分に確保できるため、外縁部による位置決め機能を向上させることができる。その結果、ラベルの位置ズレおよび不用意な脱落をいっそう抑制できる。
【００１０】
本明細書に記載する技術は、缶のほか、種々の形態で実現できる。本明細書に記載する技術は、例えば、缶用ラベルなどの形態で実現できる。
【図面の簡単な説明】
【００１１】
【図１】缶の構成を示す説明図である。
【図２】缶にラベルを装着する様子を示す説明図である。
【図３】缶に装着されたラベルの詳細構成を示す説明図である。
【図４】ラベルの詳細構成を示す説明図である。
【図５】第２実施形態における缶の構成を示す説明図である。
【図６】第２実施形態における缶に装着されたラベルの詳細構成を示す説明図である。
【図７】第２実施形態におけるラベルの詳細構成を示す説明図である。
【図８】第３実施形態における缶の構成を示す説明図である。
【図９】第３実施形態における缶に装着されたラベルの詳細構成を示す説明図である。
【図１０】第３実施形態におけるラベルの詳細構成を示す説明図である。
【図１１】第４実施形態におけるラベルの詳細構成を示す説明図である。
【発明を実施するための形態】
【００１２】
Ａ．第１実施形態
図１は、缶１００の構成を示す説明図である。図２は、缶１００にラベル２００を装着する様子を示す説明図である。缶１００は、いわゆるフルオープンエンド缶である（例えば、日本工業規格ＪＩＳ  Ｚ  ０１０８：２０１２を参照）。缶１００は、人間用の食品やペット用の飼料を詰めるために用いられる金属性の容器である。本実施形態では、缶１００は、円筒状の丸缶である。他の実施形態では、缶１００は、楕円筒状の楕円缶であってもよいし、四角筒状の角缶であってもよい。缶１００は、胴部１１０と、蓋部１２０と、締結部１３０と、タブ１５０と、底部１６０とを備える。
【００１３】
缶１００の胴部１１０は、筒状を成す。胴部１１０は、筒状に加工された金属板である。胴部１１０は、缶１００の側面を構成する。本実施形態では、胴部１１０は、円筒状を成す。
【００１４】
缶１００の蓋部１２０は、全周にわたってスコア１２２を有する。蓋部１２０は、切り込みとしてスコア１２２が表面に加工された金属板である。蓋部１２０は、缶１００の上面を構成する。本実施形態では、蓋部１２０は、円状を成す。蓋部１２０には、強度や利便性の向上を目的として、凹凸加工が施されていてもよい。
【００１５】
缶１００の締結部１３０は、スコア１２２を取り囲む。締結部１３０は、胴部１１０と蓋部１２０とを締結する。締結部１３０は、胴部１１０と蓋部１２０とを巻き締めすることによって形成された部位である。締結部１３０は、蓋部１２０より上方に突出している。本実施形態では、締結部１３０は、円環状を成す。
【００１６】
缶１００のタブ１５０は、蓋部１２０をスコア１２２の内側で切り離し可能に構成されている。タブ１５０は、蓋部１２０におけるスコア１２２の内側にリベット１５２を介して連結されている。リベット１５２は、スコア１２２の内側における一方向に偏った位置に設けられている。タブ１５０は、リベット１５２より蓋部１２０の中央側にリング状の指掛け部１５４を有する。本実施形態では、タブ１５０は、金属製である。
【００１７】
缶１００の底部１６０は、蓋部１２０に対向する壁面である。底部１６０は、缶１００の底面を構成する金属板である。本実施形態では、底部１６０は、円状を成す。
【００１８】
缶１００は、更に、ラベル２００を備える。ラベル２００は、シート状を成す。本実施形態では、ラベル２００は、紙製である。他の実施形態では、ラベル２００は、合成樹脂製であってもよいし、ラミネート加工された紙製であってもよい。ラベル２００は、図２に示す矢印方向から蓋部１２０とタブ１５０との間に挟み込むことによって、図１に示すように缶１００に装着された状態となる。
【００１９】
図３は、缶１００に装着されたラベル２００の詳細構成を示す説明図である。図４は、ラベル２００の詳細構成を示す説明図である。図３および図４における一点鎖線は、缶１００を蓋部１２０側から見た場合における缶１００の外形の中心を示す。ラベル２００は、切欠き部２１０と、挟込み部２２０と、外縁部２３０とを備える。
【００２０】
ラベル２００の切欠き部２１０は、ラベル２００の外縁の一部を構成する。切欠き部２１０は、蓋部１２０におけるリベット１５２が位置する領域１２８を締結部１３０との間に画定する。切欠き部２１０は、ラベル２００が缶１００に装着された状態で、リベット１５２に向けて凹状を成す。言い換えると、切欠き部２１０は、ラベル２００の外側に向けて凹状を成す。切欠き部２１０は、ラベル２００が缶１００に装着された状態で、リベット１５２を間に挟む形状を成す。切欠き部２１０の外形は、滑らかな曲線によって構成されている。切欠き部２１０は、右側山部２１１と、左側山部２１２と、中央谷部２１３とを備える。
【００２１】
切欠き部２１０の右側山部２１１は、ラベル２００が缶１００に装着された状態で、リベット１５２に向かう方向から見て、リベット１５２より右側に位置する。切欠き部２１０の左側山部２１２は、ラベル２００が缶１００に装着された状態で、リベット１５２に向かう方向から見て、リベット１５２より左側に位置する。ラベル２００が缶１００に装着された状態で、リベット１５２は、右側山部２１１と左側山部２１２との間に挟まれる。
【００２２】
切欠き部２１０の中央谷部２１３は、右側山部２１１と左側山部２１２とを繋ぐ部位である。中央谷部２１３は、リベット１５２に向けて凹状を成す。中央谷部２１３は、ラベル２００が缶１００に装着された状態で、蓋部１２０とタブ１５０との間に挟み込まれる。
【００２３】
ラベル２００の挟込み部２２０は、切欠き部２１０に隣接する部位である。挟込み部２２０は、ラベル２００が缶１００に装着された状態で、蓋部１２０と指掛け部１５４との間に位置する。本実施形態では、挟込み部２２０は、ラベル２００が缶１００に装着された状態で、指掛け部１５４の全域にわたって蓋部１２０との間に挟み込まれる。
【００２４】
ラベル２００の外縁部２３０は、ラベル２００の外縁の一部を構成する。外縁部２３０は、ラベル２００が缶１００に装着された状態で、締結部１３０の内側に嵌る形状を成す。外縁部２３０は、締結部１３０の全周のうち２分の１以上（本実施形態では、３分の２以上）にわたって締結部１３０の内側に嵌る形状を成す。本実施形態では、外縁部２３０は、締結部１３０に対応する円弧状を成す。
【００２５】
以上説明した第１実施形態によれば、蓋部１２０とタブ１５０との間に挟み込むことによってラベル２００を保持できるため、蓋部１２０に対してラベル２００を容易に着脱することができる。また、缶１００に装着された状態にあるラベル２００は、切欠き部２１０においてリベット１５２を避けつつ、挟込み部２２０において蓋部１２０とタブ１５０との間に挟み込まれながら、外縁部２３０において位置決めされるため、ラベル２００の位置ズレおよび不用意な脱落を抑制できる。
【００２６】
また、ラベル２００の外縁部２３０は、缶１００の締結部１３０の全周のうち２分の１以上にわたって締結部１３０の内側に嵌る形状を成す。これによって、外縁部２３０の大きさを十分に確保できるため、外縁部２３０による位置決め機能を向上させることができる。その結果、ラベル２００の位置ズレおよび不用意な脱落をいっそう抑制できる。
【００２７】
また、ラベル２００の切欠き部２１０は、リベット１５２に向けて凹状を成す。これによって、外縁部２３０の大きさを十分に確保できるため、外縁部２３０による位置決め機能を向上させることができる。その結果、ラベル２００の位置ズレおよび不用意な脱落をいっそう抑制できる。
【００２８】
また、ラベル２００の切欠き部２１０は、右側山部２１１と左側山部２１２との間にリベット１５２を間に挟む形状を成す。これによって、外縁部２３０の大きさを十分に確保できるため、外縁部２３０による位置決め機能を向上させることができる。その結果、ラベル２００の位置ズレおよび不用意な脱落をいっそう抑制できる。
【００２９】
Ｂ．第２実施形態
図５は、第２実施形態における缶１００Ｂの構成を示す説明図である。第２実施形態の缶１００Ｂは、ラベル２００に代えてラベル２００Ｂを備える点を除き、第１実施形態の缶１００と同様である。
【００３０】
図６は、第２実施形態における缶１００Ｂに装着されたラベル２００Ｂの詳細構成を示す説明図である。図７は、第２実施形態におけるラベル２００Ｂの詳細構成を示す説明図である。図６および図７における一点鎖線は、缶１００Ｂを蓋部１２０側から見た場合における缶１００Ｂの外形の中心を示す。第２実施形態のラベル２００Ｂは、切欠き部の形状が異なる点を除き、第１実施形態のラベル２００と同様である。ラベル２００Ｂは、切欠き部２１０Ｂと、挟込み部２２０Ｂと、外縁部２３０Ｂとを備える。
【００３１】
ラベル２００Ｂの切欠き部２１０Ｂは、ラベル２００Ｂの外縁の一部を構成する。切欠き部２１０Ｂは、蓋部１２０におけるリベット１５２が位置する領域１２８Ｂを締結部１３０との間に画定する。切欠き部２１０Ｂは、ラベル２００Ｂが缶１００Ｂに装着された状態で、リベット１５２に向けて凹状を成す。言い換えると、切欠き部２１０Ｂは、ラベル２００Ｂの外側に向けて凹状を成す。切欠き部２１０Ｂは、ラベル２００Ｂが缶１００Ｂに装着された状態で、リベット１５２を間に挟む形状を成す。切欠き部２１０Ｂの外形は、円弧状を成す。切欠き部２１０Ｂは、右側円弧部２１１Ｂと、左側円弧部２１２Ｂと、中央円弧部２１３Ｂとを備える。
【００３２】
切欠き部２１０Ｂの右側円弧部２１１Ｂは、ラベル２００Ｂが缶１００Ｂに装着された状態で、リベット１５２に向かう方向から見て、リベット１５２より右側に位置する。切欠き部２１０Ｂの左側円弧部２１２Ｂは、ラベル２００Ｂが缶１００Ｂに装着された状態で、リベット１５２に向かう方向から見て、リベット１５２より左側に位置する。ラベル２００Ｂが缶１００Ｂに装着された状態で、リベット１５２は、右側円弧部２１１Ｂと左側円弧部２１２Ｂとの間に挟まれる。
【００３３】
切欠き部２１０Ｂの中央円弧部２１３Ｂは、右側円弧部２１１Ｂと左側円弧部２１２Ｂとを繋ぐ部位である。中央円弧部２１３Ｂは、リベット１５２に向けて凹状を成す。中央円弧部２１３Ｂは、ラベル２００Ｂが缶１００Ｂに装着された状態で、蓋部１２０とタブ１５０との間に挟み込まれる。
【００３４】
ラベル２００Ｂの挟込み部２２０Ｂは、切欠き部２１０Ｂに隣接する部位である。挟込み部２２０Ｂは、ラベル２００Ｂが缶１００Ｂに装着された状態で、蓋部１２０と指掛け部１５４との間に位置する。本実施形態では、挟込み部２２０Ｂは、ラベル２００Ｂが缶１００Ｂに装着された状態で、指掛け部１５４の全域にわたって蓋部１２０との間に挟み込まれる。
【００３５】
ラベル２００Ｂの外縁部２３０Ｂは、ラベル２００Ｂの外縁の一部を構成する。外縁部２３０Ｂは、ラベル２００Ｂが缶１００Ｂに装着された状態で、締結部１３０の内側に嵌る形状を成す。外縁部２３０Ｂは、締結部１３０の全周のうち２分の１以上（本実施形態では、３分の２以上）にわたって締結部１３０の内側に嵌る形状を成す。本実施形態では、外縁部２３０Ｂは、締結部１３０に対応する円弧状を成す。
【００３６】
以上説明した第２実施形態によれば、第１実施形態と同様に、蓋部１２０に対してラベル２００Ｂを容易に着脱することができる。また、第１実施形態と同様に、ラベル２００Ｂの位置ズレおよび不用意な脱落を抑制できる。
【００３７】
Ｃ．第３実施形態
図８は、第３実施形態における缶１００Ｃの構成を示す説明図である。第３実施形態の缶１００Ｃは、ラベル２００に代えてラベル２００Ｃを備える点を除き、第１実施形態の缶１００と同様である。
【００３８】
図９は、第３実施形態における缶１００Ｃに装着されたラベル２００Ｃの詳細構成を示す説明図である。図１０は、第３実施形態におけるラベル２００Ｃの詳細構成を示す説明図である。図９および図１０における一点鎖線は、缶１００Ｃを蓋部１２０側から見た場合における缶１００Ｃの外形の中心を示す。第３実施形態のラベル２００Ｃは、切欠き部の形状が異なる点を除き、第１実施形態のラベル２００と同様である。ラベル２００Ｃは、切欠き部２１０Ｃと、挟込み部２２０Ｃと、外縁部２３０Ｃとを備える。
【００３９】
ラベル２００Ｃの切欠き部２１０Ｃは、ラベル２００Ｃの外縁の一部を構成する。切欠き部２１０Ｃは、蓋部１２０におけるリベット１５２が位置する領域１２８Ｃを締結部１３０との間に画定する。切欠き部２１０Ｃは、直線状の外縁を成す。切欠き部２１０Ｃは、右側部２１１Ｃと、左側部２１２Ｃと、中央部２１３Ｃとを備える。
【００４０】
切欠き部２１０Ｃの右側部２１１Ｃは、ラベル２００Ｃが缶１００Ｃに装着された状態で、リベット１５２に向かう方向から見て、リベット１５２より右側に位置する。切欠き部２１０Ｃの左側部２１２Ｃは、ラベル２００Ｃが缶１００Ｃに装着された状態で、リベット１５２に向かう方向から見て、リベット１５２より左側に位置する。
【００４１】
切欠き部２１０Ｃの中央部２１３Ｃは、右側部２１１Ｃと左側部２１２Ｃとを繋ぐ部位である。中央部２１３Ｃは、ラベル２００Ｃが缶１００Ｃに装着された状態で、蓋部１２０とタブ１５０との間に挟み込まれる。
【００４２】
ラベル２００Ｃの挟込み部２２０Ｃは、切欠き部２１０Ｃに隣接する部位である。挟込み部２２０Ｃは、ラベル２００Ｃが缶１００Ｃに装着された状態で、蓋部１２０と指掛け部１５４との間に位置する。本実施形態では、挟込み部２２０Ｃは、ラベル２００Ｃが缶１００Ｃに装着された状態で、指掛け部１５４における一部の領域にわたって蓋部１２０との間に挟み込まれる。
【００４３】
ラベル２００Ｃの外縁部２３０Ｃは、ラベル２００Ｃの外縁の一部を構成する。外縁部２３０Ｃは、ラベル２００Ｃが缶１００Ｃに装着された状態で、締結部１３０の内側に嵌る形状を成す。外縁部２３０Ｃは、締結部１３０の全周のうち２分の１以上にわたって締結部１３０の内側に嵌る形状を成す。本実施形態では、外縁部２３０Ｃは、締結部１３０に対応する円弧状を成す。
【００４４】
以上説明した第３実施形態によれば、第１実施形態と同様に、蓋部１２０に対してラベル２００Ｃを容易に着脱することができる。また、第１実施形態と同様に、ラベル２００Ｃの位置ズレおよび不用意な脱落を抑制できる。
【００４５】
Ｅ．第４実施形態
図１１は、第４実施形態におけるラベル２００Ｄの詳細構成を示す説明図である。第３実施形態のラベル２００Ｄは、切欠き部の形状が異なる点を除き、第１実施形態のラベル２００と同様である。ラベル２００Ｄは、切欠き部２１０Ｄと、挟込み部２２０Ｄと、外縁部２３０Ｄとを備える。
【００４６】
ラベル２００Ｄの切欠き部２１０Ｄは、ラベル２００Ｄの外縁の一部を構成する。切欠き部２１０Ｄは、蓋部１２０におけるリベット１５２が位置する領域を締結部１３０との間に画定する。切欠き部２１０Ｄは、ラベル２００Ｄが缶１００に装着された状態で、リベット１５２に向けて凸状を成す。言い換えると、切欠き部２１０Ｄは、ラベル２００Ｄの外側に向けて凸状を成す。切欠き部２１０Ｄの外形は、円弧状を成す。
【００４７】
ラベル２００Ｄの挟込み部２２０Ｄは、切欠き部２１０Ｄに隣接する部位である。挟込み部２２０Ｄは、ラベル２００Ｄが缶１００に装着された状態で、蓋部１２０と指掛け部１５４との間に位置する。本実施形態では、挟込み部２２０Ｄは、ラベル２００Ｄが缶１００に装着された状態で、指掛け部１５４における一部の領域にわたって蓋部１２０との間に挟み込まれる。
【００４８】
ラベル２００Ｄの外縁部２３０Ｄは、ラベル２００Ｄの外縁の一部を構成する。外縁部２３０Ｄは、ラベル２００Ｄが缶１００に装着された状態で、締結部１３０の内側に嵌る形状を成す。外縁部２３０Ｄは、締結部１３０の全周のうち２分の１以上にわたって締結部１３０の内側に嵌る形状を成す。本実施形態では、外縁部２３０Ｄは、締結部１３０に対応する円弧状を成す。
【００４９】
以上説明した第４実施形態によれば、第１実施形態と同様に、蓋部１２０に対してラベル２００Ｄを容易に着脱することができる。また、第１実施形態と同様に、ラベル２００Ｄの位置ズレおよび不用意な脱落を抑制できる。
【００５０】
Ｆ．他の実施形態
本発明は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【００５１】
例えば、ラベルにおける切欠き部の形状は、装着対象となる缶の蓋部および締結部の形状、リベットの位置ならびにタブ１５０の形状に応じて、適宜変更することが可能である。また、ラベルにおける外縁部の形状は、装着対象となる缶の蓋部および締結部の形状に応じて適宜変更することが可能である。
【符号の説明】
【００５２】
１００，１００Ｂ，１００Ｃ…缶
１１０…胴部
１２０…蓋部
１２２…スコア
１２８，１２８Ｂ，１２８Ｃ…領域
１３０…締結部
１５０…タブ
１５２…リベット
１５４…指掛け部
１６０…底部
２００，２００Ｂ，２００Ｃ，２００Ｄ…ラベル
２１０，２１０Ｂ，２１０Ｃ，２１０Ｄ…切欠き部
２１１…右側山部
２１１Ｂ…右側円弧部
２１１Ｃ…右側部
２１２…左側山部
２１２Ｂ…左側円弧部
２１２Ｃ…左側部
２１３…中央谷部
２１３Ｂ…中央円弧部
２１３Ｃ…中央部
２２０，２２０Ｂ，２２０Ｃ，２２０Ｄ…挟込み部
２３０，２３０Ｂ，２３０Ｃ，２３０Ｄ…外縁部
【図１】
2019006441.tif 000003
【図２】
2019006441.tif 000004
【図３】
2019006441.tif 000005
【図４】
2019006441.tif 000006
【図５】
2019006441.tif 000007
【図６】
2019006441.tif 000008
【図７】
2019006441.tif 000009
【図８】
2019006441.tif 000010
【図９】
2019006441.tif 000011
【図１０】
2019006441.tif 000012
【図１１】
2019006441.tif 000013